(57)【要約】【課題】廃棄物処理施設の建設地の各候補地を定量的に把握する。【解決手段】一定地域内の各回収地点３０で排出される廃棄物を収集して処理する廃棄物処理施設の建設地を計画立案する廃棄物処理施設の計画装置である。そして、一定地域内における廃棄物の輸送可能な経路を記述した地図を記憶する地図マスタ１５と、各回収地点３０の地図上の位置と廃棄物の排出量を記憶する廃棄物排出メモリ１８と、廃棄物処理施設を建設する複数の候補地の入力に応じて、各回収地点で排出される廃棄物の排出量と各回収地点から各候補地までの輸送経路とから、各候補地における廃棄物の輸送に関するコストと処理施設に関するコストとを算出するコスト算出手段とを備えている。【選択図】　　　図１
2004078980.tif 000002
【特許請求の範囲】
【請求項１】
　一定地域内の各回収地点で排出される廃棄物を収集して処理する廃棄物処理施設の建設地を計画立案する廃棄物処理施設の計画装置であって、
　前記一定地域内における廃棄物の輸送可能な経路を記述した地図を記憶する地図マスタと、
　前記各回収地点の前記地図上の位置と廃棄物の排出量を記憶する廃棄物排出メモリと、
　廃棄物処理施設を建設する複数の候補地の入力に応じて、前記各回収地点で排出される廃棄物の排出量と各回収地点から各候補地までの輸送経路とから、各候補地における廃棄物の輸送に関するコストと処理施設に関するコストとを算出するコスト算出手段と
を備えた廃棄物処理施設の計画装置。
【請求項２】
　一定地域内の各回収地点で排出される廃棄物を収集して処理する廃棄物処理施設の建設地を計画立案する廃棄物処理施設の計画装置であって、
　前記一定地域内における廃棄物の輸送可能な経路を記述した地図を記憶する地図マスタと、
　前記各回収地点の前記地図上の位置と廃棄物の排出量とからなる回収地点情報を入力する回収地点情報入力手段と、
　廃棄物処理施設を建設する複数の候補地の入力に応じて、前記各回収地点で排出される廃棄物の排出量と各回収地点から各候補地までの輸送経路とから、各候補地における廃棄物の輸送に関するコストと処理施設に関するコストとを算出するコスト算出手段と
を備えた廃棄物処理施設の計画装置。
【請求項３】
　前記一定地域内に複数の廃棄物処理施設の建設も可能とする場合における複数の候補地の入力に応じて、前記複数の候補地における各候補地どうしの全ての組合せに対して、各組合せを構成する各候補地で前記一定地域を区分する区分手段と、
　組合せを構成する各候補地毎に、自己に割当てられた区分内の各回収地点で排出される廃棄物の排出量と各回収地点から各候補地までの輸送経路とから、廃棄物の輸送に関するコストと処理施設に関するコストとを算出し、組合せを構成する各候補地の各コストを加算して、該当組合せに対する合計コストを算出する組合せコスト算出手段と
を備えた請求項１又は２記載の廃棄物処理施設の計画装置。
【請求項４】
　前記候補地における同一組合せに対して前記一定地域を複数種類に区分して、各区分毎に前記合計コストを算出することを特徴とする請求項３記載の廃棄物処理施設の計画装置。
【請求項５】
　前記算出された輸送に関するコストと処理施設に関するコストとに環境に関するコストを加算して各候補地単独又は候補地の組合せに対するコストとすることを特徴とする請求項１から４のいずれか１項記載の廃棄物処理施設の計画装置。
【請求項６】
　少なくとも前記候補地の入力を検索者端末からインターネットを介して実施し、算出された各コストをインターネットを介して前記検索者端末へ送出することを特徴とする請求項１から５のいずれか１項記載の廃棄物処理施設の計画装置。
【請求項７】
　請求項３記載の廃棄物処理施設の計画装置を用いて複数種別の廃棄物処理施設の建設地を計画立案する廃棄物処理施設の計画方法であって、
　前記廃棄物処理施設の各種別毎に、前記計画装置を用いて算出された候補地単独又は候補地の組合せに対する各コストに基づいて最適の候補地又は最適の候補地の組合せを決定するステップと、
　前記廃棄物処理施設の各種別間で最適の候補地又は最適の候補地の組合せが異なる場合は、一方の種別に対す各候補地に制約条件を設定して、前記計画装置を用いて再度候補地単独又は候補地の組合せに対する各コストを算出して、該当種別に対する最適の候補地又は最適の候補地の組合せを決定するステップと
を有する廃棄物処理施設の計画方法。
【請求項８】
　一定地域内で排出される廃棄物を収集して処理する廃棄物処理施設の建設地を計画立案する廃棄物処理施設の計画方法であって、
　前記一定地域内における廃棄物の輸送可能な輸送経路を含む経路情報を保持する第１ステップと、
　前記輸送経路上の複数の廃棄物回収地点にて、回収されるべき夫々の廃棄物量を取得する第２ステップと、
　廃棄物処理施設を建設する複数の候補地の入力に応じて、各回収地点で回収される廃棄物量と各回収地点から各候補地までの輸送経路とから、各候補地における廃棄物処理施設の運用に必要な輸送能力情報を算出する第３ステップと
を有する廃棄物処理施設の計画方法。
【請求項９】
　前記第３ステップで算出された各候補地への輸送能力情報に基づいて、各候補地における廃棄物の輸送に関するコストと、処理施設に関するコストとを算出する第４ステップ
を有することを特徴とする請求項８記載の廃棄物処理施設の計画方法。
【請求項１０】
　前記第２ステップは、各回収地点で回収されるべき廃棄物量を、前記一定地域内の人口分布と、人口に対する廃棄物の平均排出量とに基づいて取得することを特徴とする請求項８又は９記載の廃棄物処理施設の計画方法。
【請求項１１】
　前記第２ステップは、各回収地点で回収されるべき廃棄物量を、各回収地点に集められる廃棄物量の実績値又は予測値に基づいて取得することを特徴とする請求項８又は９記載の廃棄物処理施設の計画方法。
【請求項１２】
　前記第２ステップは、各回収地点で回収されるべき廃棄物量を、廃棄物量そのもの、人口分布、人口に対する廃棄物の平均排出量又は廃棄物量の実績値若しくは予測値の何れか１つ以上が入力されることに基づいて取得することを特徴とする請求項８又は９記載の廃棄物処理施設の計画方法。
【請求項１３】
　少なくとも前記候補地の入力を検索者端末からインターネットを介して実施し、算出された各輸送能力情報をインターネットを介して前記検索者端末へ送出することを特徴とする請求項８から１２のいずれか１項記載の廃棄物処理施設の計画方法。
【請求項１４】
　一定地域内で排出される廃棄物を収集して処理する廃棄物処理施設の建設地を計画立案する廃棄物処理施設の計画装置であって、
　前記一定地域内における廃棄物の輸送可能な輸送経路を含む経路情報を保持する第１の手段と、
　前記輸送経路上の複数の廃棄物回収地点にて、回収されるべき夫々の廃棄物量を取得する第２の手段と、
　廃棄物処理施設を建設する複数の候補地の入力に応じて、各回収地点で回収される廃棄物量と各回収地点から各候補地までの輸送経路とから、各候補地における廃棄物処理施設の運用に必要な輸送能力情報を算出する第３の手段と
を有する廃棄物処理施設の計画装置。
【請求項１５】
　請求項１から６及び１４のいずれか１項記載の廃棄物処理施設の計画装置又は請求項７から１３のいずれか１項記載の廃棄物処理施設の計画方法を用いて建設地を定めた廃棄物処理施設。
【請求項１６】
　一定地域内で排出される廃棄物を収集して廃棄物処理施設へ輸送する計画を立案する廃棄物輸送の計画方法であって、
　前記一定地域内における廃棄物の輸送可能な輸送経路を含む経路情報を保持する第１ステップと、
　前記輸送経路上の複数の廃棄物回収地点にて、回収されるべき夫々の廃棄物量を取得する第２ステップと、
　廃棄物処理施設の建設地の入力に応じて、各回収地点で回収される廃棄物量と各回収地点から建設地までの輸送経路とから、当該建設地における廃棄物処理施設の運用に必要な輸送能力情報を算出する第３ステップと
を有する廃棄物輸送の計画方法。
【請求項１７】
　一定地域内で排出される廃棄物を収集して廃棄物処理施設へ輸送する計画を立案する廃棄物輸送の計画装置であって、
　前記一定地域内における廃棄物の輸送可能な輸送経路を含む経路情報を保持する第１の手段と、
　前記輸送経路上の複数の廃棄物回収地点にて、回収されるべき夫々の廃棄物量を取得する第２の手段と、
　廃棄物処理施設の建設地の入力に応じて、各回収地点で回収される廃棄物量と各回収地点から建設地までの輸送経路とから、当該建設地における廃棄物処理施設の運用に必要な輸送能力情報を算出する第３の手段と
を有する廃棄物輸送の計画装置。
【発明の詳細な説明】
【技術分野】
【０００１】
　本発明は、一定地域内で廃棄物処理施設を建設する場合における建設地を計画する廃棄物処置施設の計画装置、廃棄物処置施設の計画方法、及び廃棄物輸送の計画方法、並びに廃棄物輸送の計画装置に関する。
【背景技術】
【０００２】
　地方自治体にとって、各家庭で排出される廃棄物を収集して処理することは住民に対する重要な行政サービスの１つである。各家庭から排出される廃棄物には、瓶や缶や新聞や雑誌や布等のリサイクル（再生）可能なものと、生ゴミや紙屑等の焼却可能なものと、不燃物等のように再生も焼却もできないものとに分類される。
【０００３】
　一般に、各家庭においては、発生する廃棄物を、上述したリサイクル（再生）可能な資源物と、可燃物と、不燃物とに分別して、予め指定された日に、予め指定された回収地点に運び出す。各回収地点に排出された分別された状態の各廃棄物をゴミ収集車が巡回収集して焼却施設やリサイクル施設等の各廃棄物処理施設へ搬送して、この廃棄物処理施設で焼却処理やリサイクル処理を行う。
【発明の開示】
【発明が解決しようとする課題】
【０００４】
　このような焼却処理やリサイクル処理を行う各廃棄物処理施設を何処に建設するかは重要な検討項目である。しかしながら、従来、この種の廃棄物処理施設の建設場所は、土地の確保や人口密集地でないことや周辺住民の理解等の課題を解消するために最大限の努力が払われ、純粋な経済的アプローチが実施されていなかった。
【０００５】
　その結果、たとえ、地域の理解や土地の確保を含めて、廃棄物処理施設の建設地に対する複数の候補地が確保できたとしても、上述した定性的な理由に基づいて最終の建設地が決定されていた。したがって、余分な建設費用や余分な輸送費用や余分な運営費用が発生する懸念があった。
【０００６】
　本発明はこのような事情に鑑みてなされたものであり、各候補地毎に廃棄物処理に関する定量的な各種のコストや廃棄物処理施設への廃棄物の輸送能力情報を算出でき、各候補地から最終の建設地を決定するのに有用な判断材料を操作者又は検索者に提供できる廃棄物処理施設の計画装置及び計画方法並びに廃棄物輸送の計画方法を提供することを目的とする。
【課題を解決するための手段】
【０００７】
　本発明は、一定地域内の各回収地点で排出される廃棄物を収集して処理する廃棄物処理施設の建設地を計画立案する廃棄物処理施設の計画装置である。
【０００８】
　そして、一定地域内における廃棄物の輸送可能な経路を記述した地図を記憶する地図マスタと、各回収地点の地図上の位置と廃棄物の排出量を記憶する廃棄物排出メモリと、廃棄物処理施設を建設する複数の候補地の入力に応じて、各回収地点で排出される廃棄物の排出量と各回収地点から各候補地までの輸送経路とから、各候補地における廃棄物の輸送に関するコストと処理施設に関するコストとを算出するコスト算出手段とを備えている。
【０００９】
　このように構成された廃棄物処理施設の計画装置においては、廃棄物処理施設を建設するための建設地に対して複数の候補地が入力されると、地域内の各回収地点で排出される廃棄物を候補地まで輸送するための輸送に関するコストが算出される。さらに、各回収地点で排出される各廃棄物の総重量からこの廃棄物処理施設が必要とする規模や運営費等の処理施設に関するコストを算出することが可能である。
【００１０】
　したがって、操作者又は検索者は、各候補地におけるコストを比較参照することによって、複数の候補地から最適の候補地を建設地として選択することが可能となる。
【００１１】
　また、別の発明に係わる廃棄物処理施設の計画装置においては、一定地域内における廃棄物の輸送可能な経路を記述した地図を記憶する地図マスタと、各回収地点の地図上の位置と廃棄物の排出量とからなる回収地点情報を入力する回収地点情報入力手段と、棄物処理施設を建設する複数の候補地の入力に応じて、各回収地点で排出される廃棄物の排出量と各回収地点から各候補地までの輸送経路とから、各候補地における廃棄物の輸送に関するコストと処理施設に関するコストとを算出するコスト算出手段とを備えている。
【００１２】
　このように構成された廃棄物処理施設の計画装置においては、操作者又は検索者が、各候補地と共に各回収地点の前記地図上の位置と廃棄物の排出量とからなる回収地点情報を入力することによって、上述した発明とほぼ同様の作用効果を奏することができる。
【００１３】
　また、別の発明は上述した各発明の廃棄物処理施設の計画装置に対して、さらに、一定地域内に複数の廃棄物処理施設の建設も可能とする場合における複数の候補地の入力に応じて、複数の候補地における各候補地どうしの全ての組合せに対して、各組合せを構成する各候補地で一定地域を区分する区分手段と、組合せを構成する各候補地毎に、自己に割当てられた区分内の各回収地点で排出される廃棄物の排出量と各回収地点から各候補地までの輸送経路とから、廃棄物の輸送に関するコストと処理施設に関するコストとを算出し、組合せを構成する各候補地の各コストを加算して、該当組合せに対する合計コストを算出する組合せコスト算出手段とを付加している。
【００１４】
　このように構成された廃棄物処理施設の計画装置においては、収集や施設整備に関す要素コストを入力することで、一定領域内に複数の廃棄物処理施設の建設も可能な場合において、複数の候補地が入力されると、候補地どうしの複数組の組合せが考えられる。
【００１５】
　そして、各組合せ毎に、該当組合せを構成する各候補地で一定地域を区分して、各候補地毎にコストが算出され、両者のコストが加算されで該当組合せに対するコストとなる。したがって、各組合毎のコストを比較対照することによって最適の組合せを決定できる。
【００１６】
　さらに、別の発明は、上述した複数の廃棄物処理施設の建設も可能とする廃棄物処理施設の計画装置において、候補地における同一組合せに対して一定地域を複数種類に区分して、各区分毎に合計コストを算出するようにしている。
【００１７】
　このように構成された廃棄物処理施設の計画装置においては、各組合せにおける各区分を複数種類に変更して、各種類毎の合計コストを比較対照することによって、各組合せにおけるコスト的に最適の区分を選択できる。
【００１８】
　また、別の発明は、上述した各発明の廃棄物処理施設の計画装置において、算出された輸送に関するコストと処理施設に関するコストとに環境に関するコストを加算して各候補地単独又は候補地の組合せに対するコストとしている。
【００１９】
　このように構成された廃棄物処理施設の計画装置においては、環境に関するコストを定義することにより、経済的なコストのみならず、例えば廃棄物の搬送車が排出する排気ガス等の環境に関するコストも配慮して最適の候補地を選択できる。
【００２０】
　また、別の発明は、上述した各発明における廃棄物処理施設の計画装置において、少なくとも候補地の入力を検索者端末からインターネットを介して実施し、算出された各コストをインターネットを介して検索者端末へ送出するようにしている。
【００２１】
　このように構成された廃棄物処理施設の計画装置においては、この廃棄物処理施設の計画装置をインターネットのＷｅｂサーバ上に構築することにより、検索者はインターネットを介して自己の検索者端末からこの廃棄物処理施設の計画装置に必要なデータを入力し、算出されたコストを取込むことができる。
【００２２】
　さらに別の発明は、前述した廃棄物処理施設の計画装置を用いて複数種別の廃棄物処理施設の建設地を計画立案する廃棄物処理施設の計画方法である。
【００２３】
　そして、廃棄物処理施設の各種別毎に、計画装置を用いて算出された候補地単独又は候補地の組合せに対する各コストに基づいて最適の候補地又は最適の候補地の組合せを決定する。そして、廃棄物処理施設の各種別間で最適の候補地又は最適の候補地の組合せが異なる場合は、一方の種別に対す各候補地に制約条件を設定して、計画装置を用いて再度候補地単独又は候補地の組合せに対する各コストを算出して、該当種別に対する最適の候補地又は最適の候補地の組合せを決定する。
【００２４】
　廃棄物の種別毎にそれぞれ個別の廃棄物処理施設を建設する必要がある場合がある。当然、各回収地点で排出される廃棄物の排出量は、廃棄物の種別毎に異なるので、廃棄物の種別に応じて、該当廃棄物を処理する廃棄物処理施設の最適建設地は異なる。したがって、各廃棄物の種別毎に最適候補を一旦決定するが、制約条件を付して再度コスト計算を実施することによって、全ての種別の廃棄物の処理施設に亘って最適となる各候補地を決定することが可能となる。
【００２５】
　また、別の発明は、一定地域内で排出される廃棄物を収集して処理する廃棄物処理施設の建設地を計画立案する廃棄物処理施設の計画方法である。　
　そして、一定地域内における廃棄物の輸送可能な輸送経路を含む経路情報を保持する第１ステップと、輸送経路上の複数の廃棄物回収地点にて、回収されるべき夫々の廃棄物量を取得する第２ステップと、廃棄物処理施設を建設する複数の候補地の入力に応じて、各回収地点で回収される廃棄物量と各回収地点から各候補地までの輸送経路とから、各候補地における廃棄物処理施設の運用に必要な輸送能力情報を算出する第３ステップとを有する。
【００２６】
　このように構成された廃棄物処理施設の計画方法においては、前述した廃棄物処理施設の計画装置と同様に、廃棄物処理施設を建設するための建設地に対して複数の候補地が入力されると、各候補地における廃棄物処理施設の運用に必要な廃棄物の輸送能力情報が算出される。
【００２７】
　したがって、操作者又は検索者は、各候補地における廃棄物処理施設の運用に必要な廃棄物の輸送能力情報を比較参照することによって、複数の候補地から最適の候補地を建設地として選択することが可能となる。
【００２８】
　また、別の発明は、上述した発明の廃棄物処理施設の計画方法に対して、さらに、第３ステップで算出された各候補地への輸送能力情報に基づいて、各候補地における廃棄物の輸送に関するコストと、処理施設に関するコストとを算出する第４ステップを付加している。
【００２９】
　このように構成された廃棄物処理施設の計画方法においては、各候補地における廃棄物の輸送に関するコストと処理施設に関するコストとが算出されるので、操作者又は検索者は、各候補地におけるコストを比較参照することによって、複数の候補地からより簡単に経済的に最適の候補地を建設地として選択することが可能となる。
【００３０】
　さらに、別の発明は、上述した発明の廃棄物処理施設の計画方法における第２ステップは、各回収地点で回収されるべき廃棄物量を、一定地域内の人口分布と、人口に対する廃棄物の平均排出量とに基づいて取得するようにしている。
【００３１】
　すなわち、各家庭から排出される廃棄物の量はある程度統計的に求まるので、各回収地点を利用する人口が定まれば、各回収地点で実際に廃棄物の回収量を実測しなくとも平均排出量を求めることができる。
【００３２】
　さらに、別の発明は、上述した発明の廃棄物処理施設の計画方法における第２ステップは、各回収地点で回収されるべき廃棄物量を、各回収地点に集められる廃棄物量の実績値又は予測値に基づいて取得するようにしている。
【００３３】
　すなわち、各家庭から排出される廃棄物の量は、逆に、各回収地点で実際に廃棄物の回収量を実測することによって求めることができる。
【００３４】
　さらに、別の発明は、上述した発明の廃棄物処理施設の計画方法における第２ステップは、各回収地点で回収されるべき廃棄物量を、廃棄物量そのもの、人口分布、人口に対する廃棄物の平均排出量又は廃棄物量の実績値若しくは予測値の何れか１つ以上が入力されることに基づいて取得する。
【００３５】
　さらに、別の発明は、上述した発明の廃棄物処理施設の計画方法において、少なくとも候補地の入力を検索者端末からインターネットを介して実施し、算出された各輸送能力情報をインターネットを介して検索者端末へ送出するようにしている。
【００３６】
　さらに、別の発明は、一定地域内で排出される廃棄物を収集して処理する廃棄物処理施設の建設地を計画立案する廃棄物処理施設の計画装置である。
【００３７】
　そして、一定地域内における廃棄物の輸送可能な輸送経路を含む経路情報を保持する第１の手段と、輸送経路上の複数の廃棄物回収地点にて、回収されるべき夫々の廃棄物量を取得する第２の手段と、廃棄物処理施設を建設する複数の候補地の入力に応じて、各回収地点で回収される廃棄物量と各回収地点から各候補地までの輸送経路とから、各候補地における廃棄物処理施設の運用に必要な輸送能力情報を算出する第３の手段とを有する。
【００３８】
　このように構成された廃棄物処理施設の計画装置であっても、先の発明の廃棄物処理施設の計画方法とほぼ同じ作用効果を奏することが可能である。
【００３９】
　さらに、別の発明は、上述した各計画装置又は画方法を用いて建設地を定めた廃棄物処理施設である。
【００４０】
　さらに、別の発明は、一定地域内で排出される廃棄物を収集して廃棄物処理施設へ輸送する計画を立案する廃棄物輸送の計画方法である。　
　そして、一定地域内における廃棄物の輸送可能な輸送経路を含む経路情報を保持する第１ステップと、輸送経路上の複数の廃棄物回収地点にて、回収されるべき夫々の廃棄物量を取得する第２ステップと、廃棄物処理施設の建設地の入力に応じて、各回収地点で回収される廃棄物量と各回収地点から建設地までの輸送経路とから、当該建設地における廃棄物処理施設の運用に必要な輸送能力情報を算出する第３ステップとを有する。
【００４１】
　このような構成の廃棄物輸送の計画方法においては、既に建設地が決定されている廃棄物処理施設に対する廃棄物輸送の計画を簡単に立案できる。
【００４２】
　また、前記一定地域内に複数の廃棄物処理施設の建設も可能とする場合における複数の候補地の入力に応じて、前記複数の候補地における各候補地どうしの全ての組合せに対して、各組合せを構成する各候補地で前記一定地域を区分するステップと、組合せを構成する各候補地毎に、自己に割当てられた区分内の各回収地点で排出される廃棄物の排出量と各回収地点から各候補地までの輸送経路とから、廃棄物の輸送に関するコストと処理施設に関するコストとを算出し、組合せを構成する各候補地の各コストを加算して、該当組合せに対する合計コストを算出するステップとを有する廃棄物処理施設の計画方法も実現可能である。
【００４３】
　さらに、前記候補地における同一組合せに対して前記一定地域を複数種類に区分して、各区分毎に前記合計コストを算出するステップを有する廃棄物処理施設の計画方法も実現可能である。
【００４４】
　さらに、算出された輸送に関するコストと処理施設に関するコストとに環境に関するコストを加算して各候補地単独又は候補地の組合せに対するコストとすることも可能である。
【００４５】
　さらに、別の発明は、一定地域内で排出される廃棄物を収集して廃棄物処理施設へ輸送する計画を立案する廃棄物輸送の計画装置である。
【００４６】
　そして、一定地域内における廃棄物の輸送可能な輸送経路を含む経路情報を保持する第１の手段と、輸送経路上の複数の廃棄物回収地点にて、回収されるべき夫々の廃棄物量を取得する第２の手段と、廃棄物処理施設の建設地の入力に応じて、各回収地点で回収される廃棄物量と各回収地点から建設地までの輸送経路とから、当該建設地における廃棄物処理施設の運用に必要な輸送能力情報を算出する第３の手段とを有する。
【００４７】
　このように構成された廃棄物輸送の計画装置においても、先の発明の廃棄物輸送の計画方法とほぼ同じ作用効果を奏することが可能である。
【発明の効果】
【００４８】
　本発明の廃棄物処理施設の計画装置、廃棄物処理施設の計画方法においては、複数の候補地が入力されると、各候補地毎に、各回収地点から該当候補地へ廃棄物を収集するための輸送に関するコストと該当候補地に建設される処理施設に関するコストを含むコストを定量的に算出している。また、回収地点から該当候補地へ廃棄物を収集するために必要な輸送能力情報、廃棄物処理施設の必要な施設能力情報を算出している。　
　したがって、各候補地から最終の建設地を決定するのに有用な判断材料を提供できる。
【発明を実施するための最良の形態】
【００４９】
　以下、本発明の各実施形態を図面を用いて説明する。　
　　（第１実施形態）
　図１は本発明の第１実施形態に係る廃棄物処理装置の計画方法が適用される廃棄物処理装置の計画装置の概略構成を示すブロック図である。この第１実施形態の実施形態に係わる廃棄物処理装置の計画装置は一種のコンピュータで構成されている。
【００５０】
　コンピュータのシステムバス１に対して、ＣＲＴ表示器２にコスト算出結果を含む各種情報を表示する表示制御回路３、キーボード４から各種のデータが入力される入力回路５、プリンタ６へコスト算出結果を含む各種の印字データを送出する印字出力回路７、インターネット８に接続された通信ＩＦ９、各種プログラムを実行するＣＰＵ１０、各種プログラムを記憶したＲＯＭ１１、例えば、ＨＤＤ等で構成された補助記憶部１２、ＲＡＭ等で構成された主記憶部１３等が接続されている。
【００５１】
　前記通信ＩＦ９は、この廃棄物処理施設の計画装置の業務内容を示すホームページ（ＨＰ）をインターネット８上に開設すると共に、この計画装置の利用者である検索者が自己のＰＣ端末（検索者端末）でインターネット８を介してホームページ（ＨＰ）をアクセスして、このホームページ上で入力した候補地を含む各種の入力データを取込むと共に、算出された各コストをインターネット８を介して検索者のＰＣ端末（検索者端末）へ送信する機能を有する。
【００５２】
　ＨＤＤ等で構成された補助記憶部１２内には、廃棄物処理施設マスタ１４、地図マスタ１５、廃棄物マスタ１６、輸送形態マスタ１７、廃棄物排出マスタ１８等がデータベース上に形成されている。
【００５３】
　一方、ＲＡＭ等で構成された主記憶部１３内においては、操作者がキーボード４から操作入力したり、インターネット８を介して入力した入力データを記憶する入力メモリ２３と、各種コストの算出結果を記憶する算出結果メモリ２４と、最終的に選択された各候補地を記憶する選択結果メモリ２５とが形成されている。また、入力メモリ２３内には、候補地メモリ１９、指定施設種別メモリ２０、制約条件メモリ２１、環境負荷情報メモリ２２等が記憶されている。
【００５４】
　前記補助記憶部１２内に形成された廃棄物処理施設マスタ１４内には、図２に示すように、廃プラ処理施設や瓶・缶処理施設や焼却施設等の処理施設の種別毎に、該当処理施設の規模を示す複数の処理能力、各処理施設の各規模に対応した建設コスト、各処理施設の各規模に対応した例えば１日当たりの運営コストが記憶されている。
【００５５】
　この廃棄物処理施設マスタ１４から理解できることは、処理施設の処理能力（規模）が大きくなると廃棄物のトン当たりの運営コストが低下することである。このことは、複数の廃棄物処理施設を前記一定地域内に建設を計画する場合に、各回収地点から各処理施設へ搬入する廃棄物の総量を決定する上で重要な意味を持つ。
【００５６】
　前記補助記憶部１２内に形成された地図マスタ１５内には、図３に示すように、この計画装置で廃棄物処理施設を建設しようとする一定地域の地図が記憶されている。図示するように、この地図内には、一点鎖線で示す行政区分線２６、廃棄物の回収車（輸送車）が通行可能な実線で示す道路（経路）２７、海岸線２８等が書込まれている。
【００５７】
　補助記憶部１２内に形成された廃棄物マスタ１６内には、図４に示すように、各家庭で排出される、廃プラスチック（廃プラ）、瓶・缶、生ゴミ、不燃物等の廃棄物の種別毎に、密度（ｋｇ/ｍ3）と、該当種別の廃棄物を輸送する輸送車両の車種が記憶されている。すなわち、例えば、廃棄物の種別によって密度が大きく異なるので、同一の排出量（トン）であったとしても、軽い、すなわち嵩張る廃棄物は大きな車両を差し向ける必要がある。また、生ゴミ等は専用車を差し向ける必要がある。
【００５８】
　補助記憶部１２内に形成された輸送形態マスタ１７内には、図５に示すように、各回収地点から廃棄物を廃棄物処理施設まで輸送する輸送形態の種別毎に、設備コスト、運用コストが記憶されている。輸送形態の種別としては、輸送車両の積載重量や平積車や専用車、鉄道等がある。設備コストは、車両の購入費や車庫の建設費である。また、運用コストとは、該当車両で、単位重量当りの廃棄物を単位距離だけ輸送するために要する費用である。この費用には、燃料代の他に、運転手の人件費や、保険や車検等の経費を含む。
【００５９】
　補助記憶部１２内に形成された廃棄物排出マスタ１８内には、図６に示すように、この計画装置で廃棄物処理施設を建設しようとする一定地域内に設定された各回収地点毎に、回収地点地名、前記地図マスタ１５の地図上位置、該当回収地点で排出される廃プラ、瓶・缶、生ゴミ、不燃物等の各廃棄物の排出量（ｋｇ）が記憶されている。当然、各廃棄物の排出量（ｋｇ）は日によって変動するので、例えば１ヶ月間の平均値である。
【００６０】
　図７は、廃棄物排出マスタ１８に記憶されている各回収地点と各廃棄物の排出量を、前記地図マスタ１５の地図上にプロットしてＣＲＴ表示器２に表示出力した状態を示す図である。
【００６１】
　道路２７に沿って、多数の回収地点３０が設定されており、各回収地点３０に各廃棄物の排出量２９ａ、２９ｂが棒グラフ表示される。なお、表示画面を簡素化するために２種類の廃棄物の排出量２９ａ、２９ｂのみをグラフ表示した。
【００６２】
　主記憶部１３の入力メモリ２３の候補地メモリ１９内には、操作者がキーボード４から操作入力したり、検索者がインターネット８を介して入力した廃棄物処理施設の建設地に対する複数の候補地が書込まれる。指定施設種別メモリ２０内には、建設を計画しようとする施設種別が操作者又は検索者にて書込まれる。
【００６３】
　入力メモリ２３の制約条件メモリ２１内には、候補地を選択する上で、住民対策や人工密集地等の影響で純粋な経済的コストで決定できない条件が書込まれる。さらに、この制約条件メモリ２１内には、複数種別の破棄物処理施設を建設する場合における候補地相互間の制約条件が書込まれる。
【００６４】
　さらに、入力メモリ２３の環境負荷情報メモリ２２内には、候補地に廃棄物処理施設を建設した場合に、環境に対する影響を定量的に表す指標（係数）が書込まれる。　
　具体的には、各回収地点３０から廃棄物処理施設へ廃棄物を輸送する運送車両が排出する排気ガスの問題があり、この排気ガスの総出量は運送車両の走行距離に比例するので、走行距離に所定の係数を乗算して、この乗算値を環境負荷コストとする。また、廃棄物処理施設が焼却施設の場合、焼却施設の煙突から排出される煙に起因する問題があるので、焼却施設の煙突から排出されるガス量に所定の係数を乗算して、この乗算値を環境負荷コストとする。
【００６５】
　なお、入力メモリ２３には、上述したもの以外にもキーボード４又はインターネット８を介して入力された各種の条件を一時記憶する。
【００６６】
　このような構成の廃棄物処理施設の計画装置は、図８、図９の流れ図に従って廃棄物処理装置の建設地の選択処理を実施する。
【００６７】
　キーボード４又はインターネット８を介して建設すべき廃棄物処理施設の種別が入力されると、この入力された廃棄物処理施設の種別を主記憶部１３の入力メモリ２３の指定施設種別メモリ２０へ格納する（Ｓ１）。さらに、建設すべき廃棄物処理施設の１個又は複数の候補地が入力されると、この入力された候補地を入力メモリ２３の候補地メモリ１９へ書込む（Ｓ２）。
【００６８】
　図１０（ａ）に、廃棄物処理施設を建設しようとする一定地域となる例えば地方自治体等の地域を入力するエリア入力画面３１ａを示す。また、図１０（ｂ）に、廃棄物処理施設の候補地を入力する候補地入力画面３１ｂを示す。検索者又は操作者はこれらの画面３１ａ、３１ｂを用いて、解析対象の地域及び候補地を入力する。なお、候補地入力画面３１ｂ上で「地図上位置表示」を指定すると、地図マスタ１５を用いて該当位置が地図上に表示される。
【００６９】
　次に、Ｓ３にて、建設費決定に関するその他の各種条件が入力されると、この各条件を入力メモリ２３へ書込む（Ｓ８）。
【００７０】
　具体的には、この地域内に建設予定の同一種別の廃棄物処理施設の数が入力され（Ｓ４）、廃棄物の輸送に使用する輸送車の種別等の輸送形態が入力され（Ｓ５）、例えば廃棄物処理施設の稼働時間が入力され（Ｓ６）、前述した制約条件が入力される（Ｓ７）。
【００７１】
　廃棄物処理施設の建設地を決定するための各種条件の入力処理が終了すると、建設地が１箇所か複数箇所かを調べ、１箇所の場合（Ｓ９）、候補地メモリ１９から１つの候補地を読出（指定）する（Ｓ１０）。次に、廃棄物排出マスタ１８に記憶されている各回収地点３０における今回建設しようとする廃棄物処理施設の種別に対応する廃棄物の種別の排出量を、全部の回収地点３０に亘って加算して、地域全体の総排出量を算出する（Ｓ１１）。
【００７２】
　次に、この総排出量から廃棄物処理施設マスタ１４の指定された施設種別の処理能力（規模）を決定する（Ｓ１２）。処理能力（規模）が決定すると、この処理能力（規模）に対応した建設コストと運営コストとが定まる。この建設コストと運営コストとの合計コストが処理施設に関するコストとなる（Ｓ１３）。
【００７３】
　次に、各回収地点３０から廃棄物を指定した候補地へ輸送するための総輸送コスト及び総設備コストを算出する（Ｓ１４）。具体的には、図７に示すように廃棄物排出メモリ１８に記憶されている各回収地点３０における地図メモリ１５の地図上の位置を求める。次に、この地図上における候補地を出発して各回収地点３０を巡回して元の候補地へ戻る輸送車両の道路（経路）２７を決定する。この場合、１台の輸送車で何カ所の回収地点３０を立寄るかは、立寄先の各回収地点３０における廃棄物の排出量、及び先に指定された輸送形態の車種（積載トン数）によって定まる。
【００７４】
　図１１（ａ）に、各回収地点３０における収集条件入力画面３１ｃを示す。この収集条件入力画面３１ｃを用いて、収集対象廃棄物と、収集トラックの選択と、収集頻度を指定することとが可能である。
【００７５】
　輸送車両の道路（経路）２７が決定すると、各輸送車両の走行距離が定まる。各輸送車両の走行距離が定まると、輸送形態マスタ１７に記憶されている運用コストを用いて、各輸送車両の輸送コストを算出し、これを使用する全部の輸送車両に亘って加算して、総輸送コストを求める。さらに、輸送形態マスタ１７に記憶されている使用車種の設備コストを使用台数分だけ加算して、総設備コストを算出する。この総設備コストと総輸送コストとの合計コストが輸送に関するコストとなる。
【００７６】
　次に、指定された該当候補地の処理施設に関するコストと輸送に関するコストとを加算して該当候補地の総経済コストを算出する（Ｓ１５）。
【００７７】
　次に、指定された該当候補地に対する優先環境負荷コストを算出する（Ｓ１６）。具体的には、各輸送車両の走行距離に環境負荷情報メモリ２２に記憶された係数を乗算して環境負荷コストを求める。また、廃棄物処理施設が焼却施設の場合、焼却施設の規模に所定の係数を乗算して環境負荷コストを求める。
【００７８】
　総経済コストと環境負荷コストとを加算して、指定された該当候補地の総コスト（総費用）とし（Ｓ１７）、この算出した総コスト（総費用）、総経済コスト、環境負荷コストを候補地と共に主記憶部１３の算出結果メモリ２４へ書込む（Ｓ１８）。
【００７９】
　以上で、１つの候補地に対する各コストの算出処理が終了したので、候補地メモリ１９にコストの未算出の候補地が残っていると（Ｓ１９）、Ｓ１０へ戻り、この未算出の候補地に対する各コストの算出処理を開始する。
【００８０】
　候補地メモリ１９に記憶されている全部の候補地に対する各コストの算出処理が終了すると（Ｓ１９）、算出結果メモリ２４に記憶されている全部の候補地に対する各コストをＣＲＴ表示器２に表示出力する。また、必要に応じて、インターネット８を介して検索者（利用者）の検索端末へ送出する（Ｓ２０）。さらに、プリンタ６で印字出力する。
【００８１】
　図１１（ｂ）に、ＣＲＴ表示器２に表示出力された解析結果画面３２を示す。図示するように、廃棄物処理施設の各候補毎に、総運送コスト、総設備コスト、環境コスト、総費用が一覧形式で表示される。　
　次に、総コスト（総費用）が最小の候補地を該当廃棄物処理施設の最終の建設地と決定して、選択結果メモリ２５へ書込むと共に表示出力する（Ｓ２１）。
【００８２】
　Ｓ９において、同一種別の廃棄物処理施設を複数建設する場合（この実施形態においては仮に２箇所に建設するとする）、候補地メモリ１９に記憶されている、全部の候補地において、考えられる全ての２個づつの組合せを作成する。そして、候補地メモリ１９から１つの組合せを取出す（Ｓ２２）。図３に示した地図における行政地区や輸送の［時間×距離］等をパラメータとした区分条件を指定する（Ｓ２３）。指定された区分条件で前記一定地域を２つに区分して、各区分に組合せを構成する各候補地を割付ける。そして、各候補地に対して割付けられ区分に含まれる各候補地を該当する各候補地に紐付ける（Ｓ２４）。
【００８３】
　そして、各候補地における自己の区分の各回収地点３０から各廃棄物を回収して処理するのに要する総経済コストを算出して（Ｓ２５）、区分条件と共に算出結果メモリ２４へ格納する（Ｓ２６）。
【００８４】
　以上で、１つの区分条件に対する各候補地の総経済コストの算出が終了すると（Ｓ２７）、各候補地における先に決定された廃棄処理施設の処理能力（規模）を１ランク変更する（Ｓ２８）。そして、Ｓ２３へ戻り、各候補地における処理能力（規模）の変更に伴う新たな区分条件を設定し、この区分条件で前記一定地域を区分した場合における各候補地の総経済コストを算出して、新たな区分条件と共に算出結果メモリ２４へ格納する。
【００８５】
　１つの組合せに対する全ての区分条件に対する各候補地における総経済コストの算出処理が終了すると（Ｓ２７）、各区分における各候補地の総経済コストを加算して各区分条件毎の総経済コストを算出する。そして、総経済コストが最も少ない区分条件、すなわち各候補地の処理能力をこの組合せに対する最適の処理能力（規模）と決定し、合計の総経済コストと、各候補地の処理能力、区分条件と、組合せとを算出結果メモリ２４へ書込む（Ｓ２９）。
【００８６】
　以上で１つの組合せに対する最適の処理能力、区分条件の決定処理が終了すると、Ｓ２２へ戻り、候補地メモリ１９から未算出の組合せを読出して、該当組合せに対する最適の処理能力、区分条件の決定処理を開始する。
【００８７】
　候補地メモリ１９に未算出の組合せがなくなると（Ｓ３０）、算出結果メモリ２４に記憶されている各組合せ毎の処理能力、区分条件、合計の総経済コストを表示する（Ｓ３１）。
【００８８】
　そして、合計の総経済コストが最も少ない組合せの各候補地、各処理施設の処理能力（規模）、合計の総経済コストを決定して表示すると共に、選択結果メモリ２５へ書込む（Ｓ３２）。
【００８９】
　このように構成された第１実施形態の廃棄物処理施設の計画装置においては、操作者がキーボード４を用いたり、検索者がインターネット８を用いたりして、廃棄物処理施設を建設するための処理施設の種別や複数の候補地が入力されると、この処理施設の種別や候補地は、一旦指定施設種別メモリ２０や候補地メモリ１９へ書込まれる。
【００９０】
　そして、一定地域内の各回収地点３０で排出される廃棄物を候補地まで輸送するための輸送に関するコストが算出される。さらに、各回収地点３０で排出される各廃棄物の総重量から廃棄物処理施設が必要とする規模や運営費等の処理施設に関するコストが算出されてＣＲＴ表示器２又はインターネット８を介して検索者端末へ送出される。
【００９１】
　したがって、操作者又は検索者は各候補地におけるコストを比較参照することによって、複数の候補地から最適の候補地を建設地として選択することが可能となる。
【００９２】
　さらに、この計画装置においては、コスト的に最適の候補地単独又は候補地の組合せが自動的に選択表示されるので、非常に便利である。
【００９３】
　また、各候補地のコストを算出するに際しては、純粋に経済的に算出可能な輸送に関するコスト及び処理施設に関するコストの他に、環境に関するコストを定量的に表現することにより、各候補地をコストと言う１つの物差しで評価できるので、この装置の操作性を大幅に向上できる。
【００９４】
　さらに、一定地域内に複数の廃棄物処理施設の建設も可能な場合で、複数の候補地が入力されると、候補地どうしの各組合せ毎に、該当組合せを構成する各候補地で地域を区分して、各候補地毎にコストが算出される。そして、両者のコストが加算されで該当組合せに対するコストとなる。
【００９５】
　この場合、一定地域を区分する条件、すなわち区分条件を種々に変更して、各区分条件におけるコストを算出して該当組合せにおける最良の区分の組合せを得ている。例えば、全体の廃棄物の処理量を１００とした場合、この組合せを構成する各候補地における処理量を、５０対５０でなく、７０対３０に設定した方が全体のコストが低下する場合もある。したがって、各組合毎のコストを比較対照することによって最適の組合せを決定できる。
【００９６】
　なお、このように構成された第１実施形態の廃棄物処理施設の計画装置においては、図８、図９に示すように、一定地域内に１種別の廃棄斑処理施設を１カ所建設する場合の１つの候補地の選択及び決定と、一定地域内に１種別の廃棄斑処理施設を複数カ所建設する場合の複数の候補地の選択及び決定について説明した。
【００９７】
　しかし、各回収地点３０で発生する廃棄物の種別は図６に示す廃棄物排出メモリ１８に示すように多岐に亘る。したがって、一定地域内に１種別の廃棄斑処理施設を１カ所又は複数箇所に建設する必要がある場合が多々ある。
【００９８】
　この場合、建設しようとする各廃棄物処理施設の種別毎に、図８及び図９に示す手順に従って、各種別毎に最適の候補地単独、又は最適の候補地の組合せを決定する。ここで、決定された最適の候補地単独、又は最適の候補地の組合せをが、各廃棄物処理施設の種別間で一致していれば問題なく、この計画装置で決定選択された候補地をそのまま採用する。
【００９９】
　各廃棄物処理施設の種別間で各候補地が不一致の場合は、廃棄物処理施設の種別間で決定された候補地を調整する必要が生じていると考える。例えば、各廃棄物の種別毎に回収日が異なる場合には輸送手段を共有することが可能である。また、同一候補地に同時に建設することにより建設費を節減することができる。
【０１００】
　したがって、この場合、いずれか一方の廃棄物処理施設の種別における候補地の選択を制約条件を付して再度コスト計算を実施する。具体的には、再計算を実施する前に、制約条件メモリ２１へ制約条件を設定する。例えば、２箇所に施設を建設する場合は、いずれか一方の候補地は先に決定した他の種別の施設の候補地と一致させたり、一定距離以内の候補地を選択する等である。
【０１０１】
　このように、制約条件を付して再度コスト計算を実施することによって、全ての種別の廃棄物の処理施設に亘って最適となる各候補地を決定することが可能となる。
【０１０２】
　さらに、実施形態装置においては、各回収地点３０の地図上の位置と廃棄物の排出量を記憶する廃棄物排出メモリ１８は、予めＨＤＤ等の補助記憶部１２内に記憶されている。　
　しかしながら、操作者やインターネットを介した検索者が、各候補地の評価を実施する時点で、キーボード４を用いて候補地と共に入力してもよい。
【０１０３】
　　（第２実施形態）
　図１２は、本発明の第２実施形態に係わる廃棄物処理装置の計画方法及び廃棄物輸送の計画方法が適用される廃棄物処理装置の計画装置の概略構成を示すブロック図である。図１に示す第１実施形態の廃棄物処理装置の計画装置と同一部分には同一符号を付して重複する部分の詳細説明を省略する。
【０１０４】
　この第２実施形態の廃棄物処理装置の計画装置においては、ＨＤＤ等で構成された補助記憶部１２内に、前述した廃棄物処理施設マスタ１４、地図マスタ１５、廃棄物マスタ１６、輸送形態マスタ１７、廃棄物排出マスタ１８の他に、人口分布マスタ３３が形成されている。
【０１０５】
　この人口分布マスタ３３内には、図１３に示すように、行政区域をさらに町名（自治会）単位まで細分化した住所（区域）毎に、世帯数と人口とが記憶されている。そして、この第２実施形態の廃棄物排出マスタ１８の図６に示す各回収地点３０で排出される廃プラ、瓶・缶、生ゴミ、不燃物等の各排出物の排出量は、実測された平均値ではなくて、人口分布マスタ３３内に記憶されている世帯数と人口とで統計的に算出されて書込まれている。
【０１０６】
　すなわち、１世帯が例えば１週間に排出する廃プラ、瓶・缶、生ゴミ、不燃物等の各廃棄物は１世帯の人員構成が定まれば統計的にほぼ一定量とみなせるので、該当回収地点３０へ廃棄物を排出する世帯数と人口が定まれば、該当回収地点３０へ排出される廃プラ、瓶・缶、生ゴミ、不燃物等の各廃棄物の量は一義的に定まる。
【０１０７】
　このような構成の第２実施形態の廃棄物処理装置の計画装置は、図１５、図１６の流れ図に従って廃棄物処理装置の候補地の解析処理を実施する。なお、図８、図９に示す第１実施形態の計画装置における建設地の選択処理動作と同一部分には、同一符号付して重複する部分の詳細説明を省略する。
【０１０８】
　すなわち、Ｓ１における廃棄物処理施設の種別入力処理から、Ｓ１１における廃棄物排出マスタ１８に記憶されている各回収地点３０における今回建設しようとする廃棄物処理施設の種別に対応する廃棄物の種別の排出量を、全部の回収地点３０に亘って加算して、地域全体の総排出量を算出する処理、及び、Ｓ１２における総排出量から廃棄物処理施設マスタ１４の指定された施設種別の処理能力の決定処理までの各処理は、図８におけるＳ１〜Ｓ１２の処理とほぼ同じであるので説明を省略する。
【０１０９】
　図１５のＳ１２において、施設種別の必要な処理能力（規模　施設能力）が求まると、Ｓ１４ａにおいて、各回収地点３０から該当候補地への廃棄物の必要な輸送能力データを算出する。すなわち、第１実施形態の計画装置で説明したように、使用される総車両台数と総走行距離とからなる輸送能力データを算出する。
【０１１０】
　次に、指定された該当候補地に対する優先環境負荷コストを算出する（Ｓ１６ａ）。具体的には、各輸送車両の走行距離に環境負荷情報メモリ２２に記憶された係数を乗算して環境負荷データを求める。また、廃棄物処理施設が焼却施設の場合、焼却施設の規模に所定の係数を乗算して環境負荷データを求める。この第２実施形態装置においては、環境負荷データとして二酸化炭素（ＣＯ2）の発生量を採用する。そして、求めた該当候補地の「施設能力データ」、「輸送能力データ」、「優先環境負荷データ」を候補地と共に主記憶部１３の算出結果メモリ２４へ書込む。
【０１１１】
　以上で、１つの候補地に対する上述した各データの算出処理が終了したので、候補地メモリ１９に未処理の候補地が残っていると（Ｓ１９ａ）、Ｓ１０へ戻り、この未処理の候補地に対する各データの算出処理を開始する。
【０１１２】
　候補地メモリ１９に記憶されている全部の候補地に対する各データの算出処理が終了すると（Ｓ１９ａ）、算出結果メモリ２４に記憶されている全部の候補地に対する各データをＣＲＴ表示器２に表示出力する。また、必要に応じて、インターネット８を介して検索者（利用者）の検索端末へ送出する（Ｓ２０ａ）。さらに、プリンタ６で印字出力する。
【０１１３】
　図１４に、ＣＲＴ表示器２に表示出力された解析結果画面３４を示す。図示するように、廃棄物処理施設の各候補地毎に、総車両台数と総走行距離からなる輸送能力データ、施設能力データ、総ＣＯ2排出量からなる優先環境データが一覧形式で表示される。
【０１１４】
　Ｓ９において、同一種別の廃棄物処理施設を複数建設する場合、候補地メモリ１９に記憶されている２個づつの組合せを作成する。そして、図９に示す第１実施形態装置と同様に、候補地メモリ１９から１つの組合せを取出す（Ｓ２２）。図３に示した地図における行政地区や輸送の［時間×距離］等をパラメータとした区分条件を指定する（Ｓ２３）。指定された区分条件で一定地域を区分して、各区分に組合せを構成する各候補地を割付ける。そして、各候補地に対して割付けられ区分に含まれる各候補地を該当する各候補地に紐付ける（Ｓ２４）。
【０１１５】
　そして、各候補地における自己の区分の各回収地点３０から各廃棄物を回収して処理するのに要する輸送能力データ、施設能力データ、優先環境負荷データを算出して（Ｓ２５ａ）、区分条件と共に算出結果メモリ２４へ格納する（Ｓ２６）。
【０１１６】
　以上で、１つの区分条件に対する各候補地のデータの算出が終了すると（Ｓ２７）、各候補地における先に決定された廃棄処理施設の処理能力（規模）を１ランク変更する（Ｓ２８）。そして、Ｓ２３へ戻り、各候補地における処理能力（規模）の変更に伴う新たな区分条件を設定し、この区分条件で前記一定地域を区分した場合における各候補地の上述した各データを算出して、新たな区分条件と共に算出結果メモリ２４へ格納する。
【０１１７】
　１つの組合せに対する考慮すべき区分条件に対する各候補地における各データの算出処理が終了すると（Ｓ２７）、各区分における各データから最適のデータ（最小のデータ）を決定し、この最適のデータと、区分条件と、組合せとを算出結果メモリ２４へ書込む（Ｓ２９）。
【０１１８】
　以上で１つの組合せに対する最適の処理能力、区分条件の決定処理が終了すると、Ｓ２２へ戻り、候補地メモリ１９から未算出の組合せを読出して、該当組合せに対する最適の処理能力、区分条件の決定処理を開始する。
【０１１９】
　候補地メモリ１９に未算出の組合せがなくなると（Ｓ３０）、算出結果メモリ２４に記憶されている各組合せ毎の最適データ、すなわち、各組合せ毎の最適の輸送能力データ、施設能力データ、優先環境負荷データを表示する（Ｓ３１ａ）。
【０１２０】
　このように構成された第２実施形態の廃棄物処理施設の計画方装置においては、入力された廃棄物処理施設の候補地毎に、各回収地点から廃棄物処理施設へ廃廃棄物を輸送するに要する輸送能力データ、廃棄物処理施設に必要な施設能力データ、及び優先環境負荷データが算出されて表示出力される。
【０１２１】
　したがって、操作者やインターネットを介した検索者にとって、これらの必要な能力データを参照するのみで、最良の候補地を決定することができる。
【０１２２】
　さらに、この第２実施形態の廃棄物処理施設の計画装置を用いることによって、既に廃棄物処理施設の建設位置が決定している場合においても、各回収地点から、建設位置へ廃棄物を輸送する場合における必要な輸送能力データを簡単に把握することが可能である。
【０１２３】
　なお、各実施形態においては、廃棄物処理施設の建設計画を作成するために輸送力データを算出する場合を説明したが、「輸送力データ」を算出する目的は建設計画作成に限られない。例えば、既に廃棄物処理施設の建設場所や能力が決定済みの場合や、廃棄物処理施設が既に存在する場合に、施設位置や施設能力の前提で輸送計画（車両台数、輸送能力を含む）の立案に寄与することができる。すなわち、本発明により、輸送能力データを算出し、最適な輸送計画作成に利用できる。
【図面の簡単な説明】
【０１２４】
【図１】本発明の第１実施形態に係わる廃棄物処理施設の計画装置の概略構成を示すブロック図
【図２】同廃棄物処理施設の計画装置の補助記憶装置内に形成された廃棄物処理施設マスタの記憶内容を示す図
【図３】同廃棄物処理施設の計画装置の補助記憶装置内に形成された地図マスタの記憶内容を示す図
【図４】同廃棄物処理施設の計画装置の補助記憶装置内に形成された廃棄物マスタの記憶内容を示す図
【図５】同廃棄物処理施設の計画装置の補助記憶装置内に形成された輸送形態マスタの記憶内容を示す図
【図６】同廃棄物処理施設の計画装置の補助記憶装置内に形成された廃棄物排出マスタの記憶内容を示す図
【図７】ＣＲＴ表示器に標示された各回収地点が書込まれた地図を示す図
【図８】同廃棄物処理施設の計画装置の候補地選択動作を示す流れ図
【図９】同じく同廃棄物処理施設の計画装置の候補地選択動作を示す流れ図
【図１０】同廃棄物処理施設の計画装置における入力画面を示す図
【図１１】同廃棄物処理施設の計画装置における入力画面及び解析結果画面を示す図
【図１２】本発明の第２実施形態に係わる廃棄物処理施設の計画装置の概略構成を示すブロック図
【図１３】同廃棄物処理施設の計画装置の補助記憶装置内に形成された人口分布マスタの記憶内容を示す図
【図１４】同廃棄物処理施設の計画装置における解析結果画面を示す図
【図１５】同廃棄物処理施設の計画装置における候補地の解析処理動作を示す流れ図
【図１６】同じく同廃棄物処理施設の計画装置候補地の解析処理動作を示す流れ図
【符号の説明】
【０１２５】
　２…ＣＲＴ表示器、４…キーボード、６…プリンタ、８…インターネット、９…通信ＩＦ、１０…ＣＰＵ、１２…補助記憶装置、１３…主記憶部、１４…廃棄物処理施設マスタ、１５…地図マスタ、１６…廃棄物マスタ、１７…輸送形態マスタ、１８…廃棄物排出マスタ、１９…候補地メモリ、２０…指定施設種別メモリ、２１…制約条件メモリ、２２…環境負荷情報メモリ、２３…入力メモリ、２４…算出結果メモリ、３０…回収地点、３２、３４…解析結果画面、３３…人口分布マスタ
【図１】
2004078980.tif 000003
【図２】
2004078980.tif 000004
【図３】
2004078980.tif 000005
【図４】
2004078980.tif 000006
【図５】
2004078980.tif 000007
【図６】
2004078980.tif 000008
【図７】
2004078980.tif 000009
【図８】
2004078980.tif 000010
【図９】
2004078980.tif 000011
【図１０】
2004078980.tif 000012
【図１１】
2004078980.tif 000013
【図１２】
2004078980.tif 000014
【図１３】
2004078980.tif 000015
【図１４】
2004078980.tif 000016
【図１５】
2004078980.tif 000017
【図１６】
2004078980.tif 000018